(57)【特許請求の範囲】
【請求項１】
電子機器の梱包に用いられる梱包用仕切り構造体であって、
所定の形状をした１枚のシート状部材の同じ側の面に、該シート状部材の長さ方向にほぼ直交する複数の谷折れ線を形成し、該谷折れ線に従ってシート状部材を折り曲げて、
電子機器の外形形状とほぼ同じか又はやや大きな収納空間を少なくとも２つ形成し、
折り曲げた片と該折り曲げた片と接触する別の片とを接着剤により貼着し、
シート状部材をその両端側から折り曲げて行ったときに、シート状部材の中央部に位置する中央部片と上記両端側から隣接した片との３つの片により囲まれた空間を電子機器の収納空間とし、
上記収納空間のうち、一方の開口を覆う側片をシート状部材に一体に形成し、梱包用仕切り構造体を組み立てた後、上記側片を粘着テープにより上記開口を閉塞するように貼着し、
上記側片により覆われる収納空間の一方の開口の一部に開口を設けた
ことを特徴とする梱包用仕切り構造体。
【発明の詳細な説明】
【０００１】
【発明の属する技術分野】
本発明は、電子機器の梱包又は包装に関する。詳しくは、運搬、輸送等において電子機器が傷つきにくく、また、その取り扱いを簡便にすると共に、梱包状態が従来に比べて小さくすることができる技術に関する。
【０００２】
【従来の技術】
図２０は、電子機器の梱包形態の一例を示すものである。
【０００３】
従来、電子機器ａ、ａ、・・・は、各電子機器ａを保護する必要性から、発泡スチロールなどのクッション材ｂに、各電子機器ａが各別に収納される収納穴ｃ、ｃ、・・・を形成し、該収納穴ｃ、ｃ、・・・に電子機器ａ、ａ、・・・を各別に収納し（図２０では１つのみ示す。）、更に、このようなクッション材ｂを段ボールなどの外箱ｄに収納することにより、梱包されていた。
【０００４】
また、図２１及び図２２は、梱包形態の別の例を示すものであり、かかる梱包形態は、電子機器ａ、ａ、・・・の運搬、輸送等における取扱いを簡便にするため、複数、例えば、５つの電子機器ａ、ａ、・・・を纏めるようにしたものである。
【０００５】
具体的には、５つの電子機器ａ、ａ、・・・を重ねて、これを１枚の段ボール片ｅでくるんで一つに纏め、このように一纏めにした電子機器ａ、ａ、・・・を電子機器群ｆとして、該電子機器群ｆの外形とほぼ同じか又はやや大きな収納穴ｇ、ｇ、・・・をクッション材ｈに形成し、各収納穴ｇ、ｇ、・・・に一纏めにした電子機器群ｆ、ｆ、・・・（図２２では１つのみ示す。）を各別に収納して、更に、電子機器群ｆ、ｆ、・・・を収納したクッション材ｈを段ボール等の外箱ｄに収納することにより梱包されていた。
【０００６】
【発明が解決しようとする課題】
ところが、上記した前者の従来の梱包形態にあっては、電子機器ａが各別に収納されているため、電子機器ａを収納する場合及びこの状態から電子機器ａを取り出した場合に電子機器ａが１つ１つであり、これらの取り扱い、特に、運搬、輸送等が不便であった。
【０００７】
また、電子機器ａと電子機器ａとの間には、所定の厚さのクッション材ｂが介在されるため、同じ外形の電子機器ａを同数収納する場合に比較して梱包外形が大きくなってしまうという問題があった。
【０００８】
上記した後者の従来の梱包形態にあっては、複数（５つ）の電子機器ａ、ａ、・・・を一纏めにして電子機器群ｆとするため、クッション材ｈに収納するときも、梱包状態から電子機器ａを取り出したときも、一纏めになった電子機器群ｆとして運搬、輸送をすることができ利便であるが、５つの電子機器ａ、ａ、・・・を重ねた状態で段ボール片ｅでくるんでいるため、電子機器ａと電子機器ａとが接触しており、互いを傷つける虞があった。
【０００９】
また、電子機器ａと電子機器ａとが接触する面に突出する部分がある場合には、両者の重なりが不安定となり、電子機器群ｆとして安定したものにならず、却って、取り扱いが煩雑になるという問題があった。
【００１０】
電子機器ａ同士が傷つけ合うのを防ぐために、電子機器ａと電子機器ａとの間に仕切板を介挿することも考えられるが、電子機器ａと電子機器ａとを重ねる過程において仕切板を介挿することは、組立工数が増加してしまい組立作業性を悪化させる。
【００１１】
そこで、図２３及び図２４に示すような仕切り構造体ｉにより、電子機器ａと電子機器ａとが直接接触しないようにして電子機器群ｊを構成することも考えられる。
【００１２】
即ち、電子機器ａ、ａ、・・・を重ねた寸法よりも大きな長さで電子機器ａの一方の辺の長さと同じ寸法の幅の２枚の段ボール片ｋ、ｋと電子機器ａの一方の辺の長さとほぼ同じ寸法の幅で、他方の辺の長さよりも長い６枚の段ボール片ｌ、ｌ、・・・を用意し、上記段ボール片ｋ、ｋには電子機器ａの厚さとほぼ同じか又はやや大きい寸法のピッチで段ボール片ｋの幅寸法のほぼ半分の長さのスリットｍ、ｍ、・・・を形成し、また、段ボール片ｌ、ｌ、・・・には電子機器ａの他方の辺の長さとほぼ同じか又は間隔を空けて段ボール片ｌの幅のほぼ半分の長さのスリットｎ、ｎを形成する（図２３参照）。
【００１３】
そして、段ボール片ｋのスリットｍ、ｍ、・・・と段ボール片ｌ、ｌ、・・・のスリットｎ、ｎとを嵌合することにより、図２４のような仕切り構造体ｉを形成すると、各段ボール片ｌとｌとの間の収納空間ｏ、ｏ、・・・がそれぞれ形成される。
【００１４】
次に、各収納空間ｏ、ｏ、・・・に電子機器ａ、ａ、・・・を各別に収納することにより、電子機器群ｊを形成する。
【００１５】
これにより、電子機器ａと電子機器ａとの間に段ボール片ｌ、ｌ、・・・が仕切板として介在され、電子機器ａ同士が直接接触することはなく、また、電子機器ａの接触面側に多少の突出部分があっても、段ボール片ｌ、ｌ、・・・の厚さでこれを吸収することができ、安定した電子機器群ｊにすることができる。
【００１６】
しかし、このような仕切り構造体ｉを組み立てるには、複数の部品（段ボール片ｋ、ｋ、ｌ、ｌ、・・・）をそれぞれのスリットｍ、ｍ、・・・、ｎ、ｎを各別に嵌合しなければならず、大変面倒であり、また、かかる仕切り構造体ｉを用いた場合、各段ボール片ｋ、ｋ、ｌ、ｌ、・・・のうち、スリットｍ、ｍ、ｎ、ｎ、・・・よりも外側の部分が必須であり、電子機器群ｊとしての大きさが大きくなってしまい、延いては、梱包全体が大きくなってしまう。これは、運送、輸送等のコストを高くしてしまうことになる。
【００１７】
そこで、本発明は、運搬、輸送等において電子機器が傷つきにくく、また、その取り扱いを簡便にすると共に、梱包状態が従来に比べて小さくすることを課題とする。
【００１８】
【課題を解決するための手段】
そこで、本発明梱包用仕切り構造体は、上記した課題を解決するために、所定の形状をした１枚のシート状部材の同じ側の面に、該シート状部材の長さ方向にほぼ直交する複数の谷折れ線を形成し、該谷折れ線に従ってシート状部材を折り曲げて、電子機器の外形形状とほぼ同じか又はやや大きな収納空間を少なくとも２つ形成し、折り曲げた片と該折り曲げた片と接触する別の片とを接着剤により貼着し、シート状部材をその両端側から折り曲げて行ったときに、シート状部材の中央部に位置する中央部片と上記両端側から隣接した片との３つの片により囲まれた空間を電子機器の収納空間とし、上記収納空間のうち、一方の開口を覆う側片をシート状部材に一体に形成し、梱包用仕切り構造体を組み立てた後、上記側片を粘着テープにより上記開口を閉塞するように貼着し、上記側片により覆われる収納空間の一方の開口の一部に開口を設けたものである。
【００１９】
従って、本発明梱包用仕切り構造体にあっては、複数の電子機器をそれぞれ仕切板を介して一纏めにするため、運搬、輸送等における取り扱いを容易にすると共に、各電子機器が傷つきにくく、また、仕切り構造体の全体の外形形状は複数の電子機器を重ねたものと比較してやや大きいだけなので、最終的に梱包した状態の大きさが上記後者の従来の梱包形態と比較してほとんど変らない。
【００２０】
また、このような仕切り構造体の構成するのに、シート状部材の同じ側の面に形成した谷折れ線に従って折り畳んで行くだけなので、例えば、表側だけを折り畳めば良く、組立作業を自動化することができる。即ち、シート状部材を折り畳んで行く側が長さ方向の片側とこれと反対側とで異なると（表側と裏側のように）、折り畳み作業中においてシート状部材を裏返しにしなければならず、作業が複雑になり自動化が困難であるが、本発明のように、シート状部材の同じ側を折り畳んで行く場合には、その中央部を押えて、シート状部材の長さ方向の両端からそれぞれ折り畳んで行けば良く、自動化をすることができる。そして、シート状部材を折り畳んだ状態、即ち、上記中間体の状態を保持することができ、また、中間体をその各片と片とが直角になるように曲げ起こすときに、容易に行なうことができ、梱包用仕切り構造体の組み立てを簡単に行なうことができる。そして、収納空間を１つ多く形成することができる。そして、組み立てられた梱包用仕切り構造体を強固なものにすることができる。そして、開口から収納空間に収納した電子機器を押し出すことができ、容易に取り出すことができる。
【００２３】
【発明の実施の形態】
図１乃至図７は、本発明に係る梱包用仕切り構造体の基本構成を概念的に示すものである。
【００２４】
梱包用仕切り構造体１は、２つの電子機器２、２同士の間に仕切板３を介在した状態で、電子機器２、２を重ねて一纏めにするものであり、該梱包用仕切り構造体１を展開した状態が、後述するシート状部材４である。
【００２５】
具体的には、シート状部材４は、その幅が電子機器２の一方の辺とほぼ同じ寸法をした比較的長い矩形をしており、該シート状部材４の一方の面に長手方向に対してほぼ直交する谷折れ線５、５、・・・が形成される（図１参照）。
【００２６】
谷折れ線５、５、・・・を形成することにより、シート状部材４には、長手方向の両端部に端片６、６が、該端片６、６に隣接してその中央側に厚み片７、７が、該厚み片７、７に隣接してその中央側に外壁片８、８が、該外壁片８、８に隣接しシート状部材４の中央部には中央部片９がそれぞれ形成される（図１参照）。
【００２７】
尚、谷折れ線５、５、・・・は、シート状部材４の両端寄りに位置するものから長さ方向の中心に向かって順に、５ａ、５ｂ、５ｃとする。即ち、谷折れ線５ａが端片６と厚み片７との間、谷折れ線５ｂが厚み片７と外壁片８との間、谷折れ線５ｃが外壁片８と中央部片９との間にそれぞれ位置される。
【００２８】
端片６、６と外壁片８、８とはほぼ同じ大きさに形成され、上記電子機器２の平面の大きさとほぼ同じか又はやや大きく形成されている。
【００２９】
厚み片７、７の長さ（シート状部材４の長さ方向と同じ方向における寸法）は電子機器２の厚さとほぼ同じか又はやや大きく形成されている。
【００３０】
中央部片９の長さ（シート状部材４の長さ方向と同じ方向における寸法）は上記厚み片７の長さのほぼ２倍か又はやや大きく形成されている。
【００３１】
そして、このように谷折れ線５、５・・・が形成されたシート状部材４は、これを水平にした状態から、両端寄りの谷折れ線５ａ、５ａに従って端片６、６を折り曲げて、垂直にする（図２参照）。
【００３２】
次に、谷折れ線５ｂ、５ｂに従って厚み片７、７を折り曲げて、垂直にする（図３参照）。このとき、先に折り曲げた端片６、６はほぼ水平にされる。
【００３３】
最後に、中央寄りに位置する２つの谷折れ線５ｃ、５ｃに従って外壁片８、８を折り曲げて、垂直にする（図４参照）。これにより、端片６、６は互いに背中合わせになって垂直になり、また、厚み片７、７は水平になり、端片６、６と厚み片７、７と外壁片８、８と中央部片９とにより四方をそれぞれ囲まれた２つの収納空間１０、１０が形成される。これら収納空間１０、１０は、これを囲う各片６、７、８、９の大きさが上述の如くであるため、電子機器２の容積とほぼ同じ大きさに形成される。
【００３４】
また、これら収納空間１０と１０との間には、２枚の端片６、６が位置され、これらが２つの収納空間１０、１０に収納された電子機器２と２との仕切板３として機能する（尚、図５では電子機器２は１つのみ示す。）。
【００３５】
シート状部材４は、例えば、段ボール、厚紙等の紙系の材料でも、ウレタン系、スポンジ系の材料であっても良い。要は、電子機器２、２、・・・を収納したときに、電子機器２、２、・・・が互いに傷つけ合わなければ良い。尚、このシート状部材４の厚みは、これを厚くしすぎると複数の電子機器２、２、・・・を一纏めにして電子機器群１１としたときに、電子機器群１１が大きくなりすぎるため、比較的薄くすることが好ましい。
【００３６】
電子機器２としては、外形形状が直方体であることが好ましいが、厚さがほぼ一定のものであれば良い。例えば、電子機器２として、コンピュータ用の薄型のＣＤ（コンパクトディスク）ドライブ装置、ＦＤ（フロッピーディスク）ドライブ装置、ＤＶＤ（デジタルビデオディスク）ドライブ装置等があるが、本発明はこれらに限られるものではない。
【００３７】
この実施の形態においては、シート状部材４の形状を長手方向に長い矩形としてが、後述する実施例のように側片を設けても良い。また、シート状部材４の形成方法としては、プレスによる打抜き加工、剪断加工など種々のものが考えられる。
【００３８】
また、この実施の形態においては、シート状部材４をその長さ方向の両端から対称に折り畳んだものについて説明したが、本発明はこれに限らず、上記一方の端片６がないものや、収納空間１０、１０の容積が異なるものについても適用することができる。図６は一方の端片６がない仕切り構造体１Ａを示す。この場合には、電子機器２と２との間には、１枚の端片６が仕切板３として機能する（図６参照）。
【００３９】
谷折れ線５、５、・・・は、シート状部材４を形成するときに同時に形成しても良いし、シート状部材４を形成した後、別個に形成しても良く、更には、このようにシート状部材４に予め形成せず、各片６、７、８、９を折り曲げるときに同時に形成するようにしても良い。
【００４０】
厚み片７、７をこれらに跨るように接着テープ１２で接合することにより、形成された仕切り構造体１を頑強にすることができ、その形態を安定されることができ、電子機器群１１として運搬、輸送などの取り扱いを容易にする（図５参照）。
【００４１】
図７は、電子機器の梱包構造１３の基本構成を概念的に示すものであり、上記梱包用仕切り構造体１を用いたものである。
【００４２】
上記した梱包用仕切り構造体１により一纏めにされた複数の電子機器２、２は、電子機器群１１とされ、このような電子機器群１１がクッション材１４に形成された収納室１５に収納され、クッション材１４と共に外箱１６に収納されて梱包される（図７参照）。尚、電子機器群１１は単数としたが、本発明は、これに限らず、複数であっても良く、電子機器群１１の数とクッション材１４に形成する収納室１５の数とを同数にしておけば良い。
【００４３】
クッション材１４は、外箱１６内に収納した電子機器２、２、・・・の移動を抑制すると共に、外箱１６が外部から衝撃を受けた場合に、電子機器２、２、・・・にその衝撃を伝えないようにするためのものである。クッション材１４の材質は、特に問わないが、衝撃を吸収するもの、例えば、発泡スチロール、ゴム様材料などが好ましい。
【００４４】
外箱１６は、クッション材１４がほぼ隙間なく収納される大きさの内部空間１７を有し、該内部空間１７にクッション材１４を収納した後、封緘される。外箱１６の材質は、外部の衝撃にある程度強く、また、軽量であることが好ましく、例えば、段ボールや厚紙が利用されるが、木材等であっても良い。
【００４５】
【実施例】
以下に、本発明梱包用仕切り構造体の詳細を添付図面に示した実施例に従って説明する。
【００４６】
尚、図面に示した実施例は、本発明をコンピュータ用の内臓ＣＤドライブ装置を梱包するための梱包用仕切り構造体及び梱包構造に適用したものである。
【００４７】
図８乃至図１２は、梱包用仕切り構造体１８の実施例を示し、５つのＣＤドライブ装置１９、１９、・・・を一纏めにして電子機器群２０としたものである。また、図１３は、梱包構造２１に実施例を示し、４つの電子機器群２０を梱包するものである。
【００４８】
図８は、梱包用仕切り構造体１８を展開した状態のシート状部材２２であり、シート状部材２２は、その幅がＣＤドライブ装置１９の一方の辺とほぼ同じ寸法をした比較的長い矩形をし、その長さ方向の中央部に舌片状の側片２３、２３及び蓋片２４（側片２３、２３及び蓋片２４については後述する。）とがシート状部材２２の一方の側縁２２ａに連設するように一体に形成され、該シート状部材２２の一方の面に長手方向に対してほぼ直交する谷折れ線２５、２５、・・・と上記側片２３、２３及び蓋片２４の基端に長手方向に延びる谷折れ線２６、２６、２６とがそれぞれ形成されている。
【００４９】
谷折れ線２５、２５、・・・を形成することにより、シート状部材２２には、長手方向の両端部に第１の仕切片２７、２７が、該第１の仕切片２７、２７に隣接してその中央側に第１の厚み片２８、２８が、該第１の厚み片２８、２８に隣接してその中央側に第２の仕切片２９、２９が、該第２の仕切片２９、２９に隣接してその中央側に第２の厚み片３０、３０が、該第２の厚み片３０、３０に隣接してその中央側に外壁片３１、３１が、該外壁片３１、３１に隣接しシート状部材２２の中央部には中央部片３２がそれぞれ形成される（図８参照）。
【００５０】
尚、谷折れ線２５、２５、・・・は、シート状部材２２の両端寄りに位置するものから長さ方向の中心に向かって順に、２５ａ、２５ｂ、２５ｃ、２５ｄ、２５ｅとする。即ち、谷折れ線２５ａが第１の仕切片２７と第１の厚み片２８との間、谷折れ線２５ｂが第１の厚み片２８と第２の仕切片２９との間、谷折れ線２５ｃが第２の仕切片２９と第２の厚み片３０との間、谷折れ線２５ｄが第２の厚み片３０と外壁片３１との間、谷折れ線２５ｅが外壁片３１と中央部片３２との間にそれぞれ位置される。
【００５１】
第１の仕切片２７、２７、第２の仕切片２９、２９及び外壁片３１、３１はほぼ同じ大きさに形成され、上記ＣＤドライブ装置１９の平面の大きさとほぼ同じか又はやや大きく形成されている。
【００５２】
第１の厚み片２８、２８の長さ（シート状部材２２の長さ方向と同じ方向における寸法）はＣＤドライブ装置１９の厚さとほぼ同じか又はやや大きく形成されている。
【００５３】
第２の厚み片３０、３０の長さ（シート状部材２２の長さ方向と同じ方向における寸法）は２つのＣＤドライブ装置１９、１９を重ねた寸法とほぼ同じか又はやや大きく形成されており、第２の厚み片３０、３０と第２の仕切片２９、２９との間の谷折れ線２５ｃ、２５ｃは、それぞれ異なった側縁２２ａ又は２２ｂから幅方向のほぼ中心位置２２ｃ、２２ｄまでそれぞれ形成されており、更に、該中心位置２２ｃ、２２ｄからそれぞれ異なった側縁２２ｂ、２２ａまでの間の部位には、Ｌ字状のスリット３３、３３が形成され、該スリット３３、３３は、それぞれ隣接する第２の仕切片２９、２９側に膨らむように形成されている。
【００５４】
スリット３３、３３は、その短い方の辺がＣＤドライブ装置１９の厚みとほぼ同じか又はやや大きく、長い方の辺がシート状部材２２の幅寸法と同じか又はやや小さく形成されており、これにより、第２の厚み片３０、３０には、同一面上に連設された突当片３４、３４が形成される。該突当片３４は後述するようにシート状部材２２を折り曲げて梱包用仕切り構造体１８を組み立てたときに、中央部片３２の中央部に対向する箇所にそれぞれ位置され、後述する５つの収納空間のうち中央部の収納空間を形成する部材の一部とされる。
【００５５】
尚、突当片３４の幅をシート状部材２２の幅のほぼ半分としたが、本発明はこれに限らず、その一部であっても良い。
【００５６】
中央部片３２の長さ（シート状部材２２の長さ方向と同じ方向における寸法）は、５つのＣＤドライブ装置１９、１９、・・・を重ねた寸法よりもやや大きく形成されており、また、中央部片３２の上記各谷折れ線２５、２５、２６が形成された面と同じ側の面には、長さ方向の寸法をほぼ５等分して、中央部の帯状部分を挟んだ２つの帯状部分３５、３５（図８において梨地で示した部分）が形成され、該帯状部分３５、３５には、梱包用仕切り構造体１８を組み立てる前に、接着剤が塗布される。
【００５７】
側片２３、２３は、シート状部材２２の側縁２２ａであって、外壁片３１、３１が形成された部位のうち、シート状部材２２の長さ方向の両端側にやや寄った位置に連設され、側片２３、２３と外壁片３１、３１との間に上記谷折れ線２６、２６がそれぞれ形成されている。側片２３、２３の幅寸法、即ち、外壁片３１、３１からの突出寸法は、中央部片３２の長さのほぼ半分に形成されている。
【００５８】
蓋片２４は、上記側片２３、２３が形成された側と同じ側の側縁２２ａであって、中央部片３２が形成された部位に連設され、蓋片２４と中央部片３２との間に上記谷折れ線２６が形成されている。蓋片２４の幅寸法、即ち、中央部片３２からの突出寸法は、上記側片２３、２３の外壁片３１、３１からの突出寸法よりも小さく形成されている。
【００５９】
しかして、このように谷折れ線２５、２５・・・、２６、２６、２６が形成されたシート状部材２２は、次のようにして、各片２３、２４、２７、２８、２９、３０、３１、３２を折り曲げることにより、梱包用仕切り構造体１８が形成される。
【００６０】
即ち、先ず、シート状部材２２をその各谷折れ線２５、２６が上面に位置するように位置させて水平にした状態から、両端寄りの谷折れ線２５ａ、２５ａに従って第１の仕切片２７、２７を折り曲げて、垂直にする。
【００６１】
次に、谷折れ線２５ａ、２５ａより中央部寄りの谷折れ線２５ｂ、２５ｂに従って第１の厚み片２８、２８を折り曲げて、垂直にする。このとき、先に折り曲げた第１の仕切片２７、２７はほぼ水平にされる。
【００６２】
このようにして、順番に谷折れ線２５ｃ、２５ｃ、２５ｄ、２５ｄ、２５ｅ、２５ｅに従って、各片２７、２８、２９、３０、３１を折り曲げて行き、梱包用仕切り構造体１８を組み立てる。
【００６３】
谷折れ線２５ｃ、２５ｃに従って第２の仕切片２９、２９を垂直に折り曲げたとき、スリット３３、３３が開かれて、突当片３４、３４は第２の厚み片３０、３０と共に、水平状態を維持する。そして、谷折れ線２５ｄ、２５ｄに従って第２の厚み片３０、３０を垂直に折り曲げると、上記第２の仕切片２９、２９が水平になって、該第２の仕切片２９、２９よりも上方に向かって突当片３４、３４が突出することになる。
【００６４】
そして、谷折れ線２５ｅ、２５ｅに従って外壁片３１、３１を垂直に折り曲げたとき、突当片３４、３４はそれぞれ対向する第２の仕切片２９、２９の上縁、即ち、谷折れ線２５ｃ、２５ｃの裏面側に形成される山折れ線３６、３６に突き当てられる。
【００６５】
また、梱包用仕切り構造体１８を組み立てた状態で、上記中央部片３２の帯状部分３５、３５に第１の厚み片２８、２８が重なり、帯状部分３５、３５に塗布された接着剤により、第１の厚み片２８、２８が中央部片３２の帯状部分３５、３５に接着される（図８参照）。
【００６６】
このように組み立てられた梱包用仕切り構造体１８は、次のように５つの収納空間３７、３７、・・・が形成される（図９参照）。
【００６７】
即ち、両側から、外壁片３１と第１の仕切片２７と第２の厚み片３０と中央部片３２とにより囲まれた収納空間３７ａ、３７ａと、第１の仕切片２７と第２の仕切片２９と第１の厚み片２８と第２の厚み片３０とにより囲まれた収納空間３７ｂ、３７ｂと、２つの第２の仕切片２９、２９と２つの突当片３４、３４と中央部片３２とにより囲まれた収納空間３７ｃとの５つが形成される。
【００６８】
これら収納空間３７は、これを囲う各片２７、２８、２９、３０、３１の大きさが上述の如くであるため、ＣＤドライブ装置１９とほぼ同じ大きさに形成される。また、このように形成された収納空間３７、３７、・・・は幅方向に貫通した空間とされる。
【００６９】
そして、これら収納空間３７と３７との間には、第１の仕切片２７又は第２の仕切片２９が位置され、これらが各収納空間３７、３７、・・・に収納されたＣＤドライブ装置１９と１９との仕切板として機能する。
【００７０】
側片２３、２３及び蓋片２４を、谷折れ線２６、２６、２６に従ってそれぞれ折り曲げると、各収納空間３７、３７、・・・の開放された一方の開口を覆って閉塞することになる。このとき、側片２３、２３の互いの先端縁同士が突き合わされる。
【００７１】
そして、２つの側片２３、２３とが突き合わされた状態で両側片２３、２３に跨り、かつ、上記突当片３４、３４が山折れ線３６、３６に突き当って、２つの第２の厚み片３０、３０が面一になった状態の突当片３４、３４及び第２の厚み片３０、３０に跨るように接着テープ３８を貼着する。これにより、組み立てられた梱包用仕切り構造体１８を頑強にすることができる（図１０参照）。
【００７２】
このように、形成された梱包用仕切り構造体１８の各収納空間３７、３７、・・・に、ＣＤドライブ装置１９、１９、・・・を収納する。これにより、５つのＣＤドライブ装置１９、１９、・・・（図１１では１つのみ示す。）が梱包用仕切り構造体１８により一纏めにされた電子機器群２０が形成される。また、ＣＤドライブ装置１９、１９、・・・を上記収納空間３７、３７、・・・に収納するとき、各ＣＤドライブ装置１９、１９、・・・は、各別にビニール袋３９、３９、・・・により個装され、防湿等が図られる（図１１参照）。
【００７３】
また、蓋片２４を上記接着テープ３８で貼着せず、開閉自在にしておくのは、ＣＤドライブ装置１９を各収納空間３７に収納した後、ＣＤドライブ装置１９を収納空間３７から取り出すときに、蓋片２４を開放して、ＣＤドライブ装置１９を収納空間３７から取り出す方向に押し出すことができるようにするためである。
【００７４】
尚、上記実施例においては、梱包用仕切り構造体１８をシート状部材２２から折り曲げて組み立てる過程で、シート状部材２２をその両端に位置する第１の仕切片２７、２７から中心に向かって対称に折り曲げるようにしたが、本発明はこれに限らず、例えば、谷折れ線２５ｂ、２５ｂ及び２５ｄ、２５ｄに従ってこれに連設する第２の厚み片３０、３０及び第１の厚み片２８、２８をほぼ１８０度折り曲げ、他の谷折れ線２５ａ、２５ａ、２５ｃ、２５ｃ、２５ｄ、２５ｄに関しては折り曲げないようにして全体がほぼ平板状のもの（以下、「中間体」という。）４０を形成し、該中間体４０をＣＤドライブ装置１９、１９、・・・を収納するときに組み立てるようにしても良い（図１２参照）。
【００７５】
このようにすると、中間体４０は、上記シート状部材２２よりも小さいため、その取り扱いが容易であり、例えば、中間体４０を梱包材料として他の部署から供給してもらうときに、中間体４０が比較的小さいため、その搬送、運送等に有利である。
【００７６】
また、上述のように、中央部片３２に第１の厚み片２８、２８を接着剤により貼着しておくと、上記中間体４０の状態から梱包用仕切り構造体１８を組み立てる場合に、外壁片３１、３１を中央部片３２に対して垂直になるように曲げ起こすだけで、容易に梱包用仕切り構造体１８を組み立てることができる。
【００７７】
尚、この上記実施例の梱包用仕切り構造体１８においては、突当片３４、３４を形成することにより、この２つの突当片３４、３４と２つの第２の仕切片２９、２９と中央部片３２とにより囲まれた収納空間３７ｃを形成したが、本発明はこれに限らず、突当片３４、３４は形成せず、開放状態とし、該開放部分を３つの片（仕切片２９、２９と中央部片３２）で囲まれる空間にＣＤドライブ装置１９を収納後、粘着テープで貼着するようにしても良い。この例としては後述する変形例において説明する。
【００７８】
図１３は、上記梱包用仕切り構造体１８を用いて、ＣＤドライブ装置１９、１９、・・・の梱包構造２１を示すものである。
【００７９】
上記した梱包用仕切り構造体１８により一纏めにされた複数の電子機器１９、１９は、電子機器群２０とされ、このような電子機器群２０が４つでクッション材４１に形成された４つの収納室４２、４２、・・・に各別に収納され、クッション材４１と共に外箱４３に収納され、これにより、梱包構造２１が構成される（図１３参照）。
【００８０】
クッション材４１は、例えば、発泡スチロールにより形成されており、外箱４３内に収納した電子機器１９、１９、・・・の移動を抑制すると共に、外箱４３が外部から衝撃を受けた場合に、電子機器１９、１９、・・・にその衝撃を伝えないようにするためのものである。
【００８１】
外箱４３は、例えば、段ボールにより形成されており、クッション材４１がほぼ隙間なく収納される大きさの内部空間４４を有し、該内部空間４４にクッション材４１を収納した後、封緘される。
【００８２】
これにより、外箱４３に梱包された多数のＣＤドライブ装置１９、１９、・・・は、それぞれの間に仕切板（各仕切り片２７、２９）が介在された状態で、かつ、クッション材４１を介して外箱４３に梱包されるため、梱包された状態で隣り合うＣＤドライブ装置１９と１９とが接することはなく、また、複数のＣＤドライブ装置１９、１９、・・・を一纏めにして電子機器群２０としたので、クッション材４１に収納するとき、或いは外箱４３の梱包を解きクッション材４１から取り出すときにおいて、電子機器群２０として取り扱うことができる。
【００８３】
尚、この実施例の梱包構造２１においては、仕切板がＣＤドライブ装置１９、１９、・・・を一纏めにするための梱包用仕切り構造体１８に各仕切片２７、２９であるものについて説明したが、本発明電子機器の梱包構造にあってはこれに限らず、上記「発明が解決しようとする課題」の欄で説明した仕切り構造体ｉ（図２３、図２４参照）を用いるようにしても良い。要は、外箱４３に梱包されるクッション材４１にＣＤドライブ装置（電子機器）１９を収納する際に、各ＣＤドライブ装置１９と１９との間に仕切板となるものが介在されていれば良い。
【００８４】
図１４は、梱包用仕切り構造体１８の変形例１８Ａを示すものであり、かかる梱包用仕切り構造体１８Ａが上記実施例にかかる梱包用仕切り構造体１８と比較して相異する点は、収納空間が３つである点及び上記突当片３４、３４を有しない点である。
【００８５】
かかる梱包用仕切り構造体１８Ａは、３つの収納空間４５、４５、４５が形成されており、その中央部の収納空間４５ａは、２つの仕切片４６、４６と中央部片４７とにより囲まれており、中央部片４７に対向する部分が開口部４８とされている。
【００８６】
そして、このような梱包用仕切り構造体１８ＡにＣＤドライブ装置１９、１９、・・・収納した後、上記開口部４８を粘着テープ４９で閉塞するようになっている。
【００８７】
このような梱包用仕切り構造体１８Ａにあっても、ＣＤドライブ装置１９、１９、１９を一纏めにすると共に、隣り合うＣＤドライブ装置１９と１９との間には、仕切板４６が介在され、各ＣＤドライブ装置１９、１９、１９が直接接触することはない。
【００８８】
図１５は、梱包用仕切り構造体１８の別の変形例１８Ｂを示すものであり、かかる梱包用仕切り構造体１８Ｂが上記実施例にかかる梱包用仕切り構造体１８と比較して相異する点は、収納空間が３つである点及びシート状部材をその長さ方向の両端から対称に折り畳んでいない点である。
【００８９】
かかる梱包用仕切り構造体１８Ｂは、そのシート状部材（図示は省略する。）の中央部より一端側に寄った位置に形成された中央部片５０と該中央部片５０の一端側に連設した一端側外壁片５１と該一端側外壁片５１の一端側に連設した一端側厚み片５２と該一端側厚み片５２の一端側に連設した一端側端片５３と中央部片５０の他端側に連設した他端側外壁片５４と該他端側外壁片５４の他端側に連設した他端側第１の厚み片５５と該他端側第１の厚み片５５の他端側に連設した他端仕切片５６と該他端側仕切片５６の他端側に連設した他端側第２の厚み片５７と該他端側第２の厚み片５７の他端側に連設した側端片５８と有する。
【００９０】
かかるシート状部材を図１５に示すように折り畳むと、中央部片５０と一端側外壁片５１と一端側厚み片５２と一端側端片５３とにより囲まれた収納空間５９と、他端側第１の厚み片５５と他端側仕切片５６と他端側第２の厚み片５７と他端側端片５８とにより囲まれた収納空間５９と、中央部片５０と他端側外壁片５４と他端側第１の厚み片５５と他端側端片５８とにより囲まれた収納空間５９との３つの収納空間５９、５９、５９が形成される。
【００９１】
このような梱包用仕切り構造体１８Ｂにあっても、ＣＤドライブ装置１９、１９、１９を一纏めにすると共に、隣り合うＣＤドライブ装置１９と１９との間には、仕切板として機能する一端側端片５３、他端側仕切片５６及び他端側端片５８が介在され、各ＣＤドライブ装置１９、１９、１９が直接接触することはない。
【００９２】
図１６及び図１７は、梱包用仕切り構造体１８のまた別の変形例１８Ｃを示すものであり、かかる梱包用仕切り構造体１８Ｃは上記実施例にかかる梱包用仕切り構造体１８を２つ連設して形成したものである。
【００９３】
即ち、かかる梱包用仕切り構造体１８Ｃは、これを展開した状態が図１６で示すシート状部材６０であり、該シート状部材６０は、上記実施例のおけるシート状部材２２が２つで、これらシート状部材２２Ａと２２Ｂとがそれぞれの一方の外壁片３１Ａと３１Ｂとにおいて連設されている。尚、上記実施例の梱包用仕切り構造体１８における各片の符号に「Ａ」を付したものは一方シート状部材２２Ａに関するもので、「Ｂ」を付したものは他方シート状部材２２Ｂに関するものである。
【００９４】
外壁片３１Ａと３１Ｂとの間には、山折れ線６１がそれぞれ形成されており、この山折れ線６１は、シート状部材６０の他の谷折れ線２５、２５、・・・が形成されている面と同じ側の面に形成されている。
【００９５】
そして、各シート状部材２２Ａ、２２Ｂを上記実施例のシート状部材２２Ａ、２２Ｂを折り畳んで、梱包用仕切り構造体１８、１８を組み立てた後、これらの外壁片３１Ａと３１Ｂとの間に形成された山折れ線６１に従って折り曲げることにより、図１７のような梱包用仕切り構造体１８Ｃが形成される。
【００９６】
このような梱包用仕切り構造体１８Ｃにあっても、上記実施例の梱包用仕切り構造体１８と同様に、ＣＤドライブ装置１９、１９、・・・を一纏めにすると共に、隣り合うＣＤドライブ装置１９と１９との間には、第１の仕切片２７Ａ、２７Ａ、２７Ｂ、２７Ｂ又は第２の仕切片２９Ａ、２９Ａ、２９Ｂ、２９Ｂが位置されて各ＣＤドライブ装置１９と１９とが直接接触することはない。更に、梱包用仕切り構造体１８Ｃは上記実施例にかかる梱包用仕切り構造体１８のＣＤドライブ装置１９、１９、・・・の収納数に対して２倍の１０個のＣＤドライブ装置１９、１９、・・・が収納可能である。また、このように形成した梱包用仕切り構造体１８Ｃを上記山折れ線６１に沿って剪断すれば、２つの上記実施例における梱包用仕切り構造体１８、１８を形成することができる。
【００９７】
図１８及び図１９は、梱包用仕切り構造体１８の更に別の変形例１８Ｄを示すものであり、かかる梱包用仕切り構造体１８Ｄは上記実施例にかかる梱包用仕切り構造体１８の各収納空間３７、３７、・・・がその収納方向の深さがほぼ１／３の大きさのもの（以下、「構造体要素」という。）６２、６２が２つ連結片６３を介して一体に連設されたものである。
【００９８】
即ち、上記実施例における梱包用仕切り構造体１８の収納空間３７、３７、・・・が浅い２つの構造体要素６２、６２は、上記梱包用仕切り構造体１８の外壁片３１に相当する外壁片６４、６４がＣＤドライブ装置１９の収納方向にそれぞれ互いに近づくように延びて一体化された如きき形状をしている。
【００９９】
連結片６３には、中央部側に２つの谷折れ線６５、６５と該谷折れ線６５、６５より外壁片６４、６４側に寄った位置にそれぞれ山折れ線６６、６６とが形成されている。
【０１００】
そして、連結片６３を谷折れ線６５、６５及び山折れ線６６、６６に従って折り曲げることにより図１９に示すようなＣＤドライブ装置１９、１９、・・・をその両側から挟持する梱包用仕切り構造体１８Ｄが組み立てられる。
【０１０１】
このような梱包用仕切り構造体１８Ｄにあっても、上記実施例の梱包用仕切り構造体１８と同様に、ＣＤドライブ装置１９、１９、・・・を一纏めにすると共に、隣り合うＣＤドライブ装置１９と１９との間には、各仕切片２７又は第２の仕切片２９が位置されて各ＣＤドライブ装置１９と１９とが直接接触することはない。
【０１０２】
尚、前記した実施の形態、実施例及び各変形例において示した各部の具体的な形状乃至構造は、本発明を実施するに当たっての具体化のほんの一例を示したものに過ぎず、これらによって本発明の技術的範囲が限定的に解釈されることがあってはならないものである。
【０１０３】
【発明の効果】
以上に記載したところから明らかなように、本発明梱包用仕切り構造体は、所定の形状をした１枚のシート状部材の同じ側の面に、該シート状部材の長さ方向にほぼ直交する複数の谷折れ線を形成し、該谷折れ線に従ってシート状部材を折り曲げて、電子機器の外形形状とほぼ同じか又はやや大きな収納空間を少なくとも２つ形成し、折り曲げた片と該折り曲げた片と接触する別の片とを接着剤により貼着し、シート状部材をその両端側から折り曲げて行ったときに、シート状部材の中央部に位置する中央部片と上記両端側から隣接した片との３つの片により囲まれた空間を電子機器の収納空間とし、上記収納空間のうち、一方の開口を覆う側片をシート状部材に一体に形成し、梱包用仕切り構造体を組み立てた後、上記側片を粘着テープにより上記開口を閉塞するように貼着し、上記側片により覆われる収納空間の一方の開口の一部に開口を設けたものである。
【０１０４】
従って、本発明梱包用仕切り構造体にあっては、複数の電子機器をそれぞれ仕切板を介して一纏めにするため、運搬、輸送等における取り扱いを容易にすると共に、各電子機器が傷つきにくく、また、仕切り構造体の全体の外形形状は複数の電子機器を重ねたものと比較してやや大きいだけなので、最終的に梱包した状態の大きさが上記後者の従来の梱包形態と比較してほとんど変らない。
【０１０５】
また、このような仕切り構造体の構成するのに、シート状部材の同じ側の面に形成した谷折れ線に従って折り畳んで行くだけなので、例えば、表側だけを折り畳めば良く、組立作業を自動化することができる。即ち、シート状部材を折り畳んで行く側が長さ方向の片側とこれと反対側とで異なると（表側と裏側のように）、折り畳み作業中においてシート状部材を裏返しにしなければならず、作業が複雑になり自動化が困難であるが、本発明のように、シート状部材の同じ側を折り畳んで行く場合には、その中央部を押えて、シート状部材の長さ方向の両端からそれぞれ折り畳んで行けば良く、自動化をすることができる。そして、シート状部材を折り畳んだ状態、即ち、上記中間体の状態を保持することができ、また、中間体をその各片と片とが直角になるように曲げ起こすときに、容易に行なうことができ、梱包用仕切り構造体の組み立てを簡単に行なうことができる。そして、収納空間を１つ多く形成することができる。そして、組み立てられた梱包用仕切り構造体を強固なものにすることができる。そして、開口から収納空間に収納した電子機器を押し出すことができ、容易に取り出すことができる。
【図面の簡単な説明】
【図１】  図２乃至図５と共に、本発明に係る梱包用仕切り構造体の基本構成を概念的に示すものであり、本図はシート状部材を展開した状態を示す平面図である。
【図２】  図３及び図４と共に、梱包用仕切り構造体をシート状部材の状態から折り曲げて行く状態を示すもので、端片を垂直に折曲げた状態を示す側面図である。
【図３】  図２の状態から厚み片を垂直に折り曲げた状態を示す側面図である。
【図４】  図３の状態から外壁片を垂直に折り曲げて梱包用仕切り構造体を組み立てた状態を示す側面図である。
【図５】  梱包用仕切り構造体に電子機器を収納する状態を示す斜視図である。
【図６】  梱包用仕切り構造体の変形例を示す側面図である。
【図７】  電子機器の梱包構造を分解して示す斜視図である。
【図８】  図９乃至図１２と共に、本発明に係る梱包用仕切り構造体の実施例を示すものであり、本図はシート状部材を展開した状態を示す平面図である。
【図９】  組み立てた梱包用仕切り構造体を示す側面図である。
【図１０】  組み立てた梱包用仕切り構造体の斜視図である。
【図１１】  梱包用仕切り構造体にＣＤドライブ装置を収納する状態を示す斜視図である。
【図１２】  中間体の各片を少し曲げ起した状態を示す斜視図である。
【図１３】  電子機器の梱包構造を示すもので、これを分解して示す斜視図である。
【図１４】  梱包用仕切り構造体の変形例を示す側面図である。
【図１５】  梱包用仕切り構造体の別の変形例を示す側面図である。
【図１６】  図１７と共に、梱包用仕切り構造体のまた別の変形例を示すものであり、本図はシート状部材を展開した状態を示す平面図である。
【図１７】  組み立てた梱包用仕切り構造体の斜視図である。
【図１８】  図１９と共に、梱包用仕切り構造体の更に別の変形例を示すものであり、本図は組み立てた梱包用仕切り構造体でＣＤドライブ装置を収納する前の状態を示す斜視図である。
【図１９】  組み立てた梱包用仕切り構造体でＣＤドライブ装置を収納した状態を示す斜視図である。
【図２０】  電子機器を梱包する従来の梱包構造を分解した示す斜視図である。
【図２１】  電子機器を一纏めにした従来のものを示す斜視図である。
【図２２】  電子機器を一纏めにした従来のものを梱包する梱包構造を分解して示す斜視図である。
【図２３】  図２４と共に、従来の梱包用仕切り構造体を示すもので、本図は分解して示す斜視図である。
【図２４】  平面図である。
【符号の説明】
１…梱包用仕切り構造体、２…電子機器、３…仕切板、４…シート状部材、５…谷折れ線、５ａ…谷折れ線、５ｂ…谷折れ線、５ｃ…谷折れ線、９…中央部片、１０…収納空間、１１…電子機器群、１３…梱包構造、１４…クッション材、１５…収納室、１６…外箱、１７…内部空間、１８…梱包用仕切り構造体、１９…ＣＤドライブ装置（電子機器）、２０…電子機器群、２１…梱包構造、２２…シート状部材、２３…側片、２５…谷折れ線、２５ａ…谷折れ線、２５ｂ…谷折れ線、２５ｃ…谷折れ線、２５ｄ…谷折れ線、２５ｅ…谷折れ線、２８…第１の厚み片（折り曲げた片）、３２…中央部片（接触する片）、３５…帯状部分（接着剤）、３７…収納空間、３７ａ…収納空間、３７ｂ…収納空間、３７ｃ…収納空間（３つの片により囲まれた空間）、３８…接着テープ、４１…クッション材、４２…収納室、４３…外箱、４４…内部空間、１８Ａ…梱包用仕切り構造体、４５…収納空間、４５ａ…収納空間（中央部）、４７…中央部片、１８Ｂ…梱包用仕切り構造体、５０…中央部片、５９…収納空間、１８Ｃ…梱包用仕切り構造体、６０…シート状部材、２２Ａ…シート状部材、２２Ｂ…シート状部材、３２Ａ…中央部片、３２Ｂ…中央部片、１８Ｄ…梱包用仕切り構造体
【図１】
0004232994.tif 000002
【図２】
0004232994.tif 000003
【図３】
0004232994.tif 000004
【図４】
0004232994.tif 000005
【図５】
0004232994.tif 000006
【図６】
0004232994.tif 000007
【図７】
0004232994.tif 000008
【図８】
0004232994.tif 000009
【図９】
0004232994.tif 000010
【図１０】
0004232994.tif 000011
【図１１】
0004232994.tif 000012
【図１２】
0004232994.tif 000013
【図１３】
0004232994.tif 000014
【図１４】
0004232994.tif 000015
【図１５】
0004232994.tif 000016
【図１６】
0004232994.tif 000017
【図１７】
0004232994.tif 000018
【図１８】
0004232994.tif 000019
【図１９】
0004232994.tif 000020
【図２０】
0004232994.tif 000021
【図２１】
0004232994.tif 000022
【図２２】
0004232994.tif 000023
【図２３】
0004232994.tif 000024
【図２４】
0004232994.tif 000025